(57)【要約】【課題】プレキャストコンクリート板の厚さ寸法を増大することなしに高い曲げ強度が付与されたコンクリート版の提供。【解決手段】床スラブ（１０）を形成するために用いられる型枠コンクリート版（１２）に係り、プレキャストコンクリート板（２２）と、プレキャストコンクリート板上に互いに間隔をおいて配置された、凹凸状の頂面を有する複数のブロック（２４）であって、床スラブ中にボイドを実質的に形成するための複数のブロックと、ブロック相互間にそれぞれ設けられ、プレキャストコンクリート板と一体をなすコンクリート製の複数のリブ（３６）とを含む。【選択図】図１
2006045871.tif 000002
【特許請求の範囲】
【請求項１】
床スラブを形成するために用いられる型枠コンクリート版であって、
プレキャストコンクリート板と、
該プレキャストコンクリート板上に互いに間隔をおいて配置された、凹凸状の頂面を有する複数のブロックであって、前記床スラブ中にボイドを実質的に形成するための複数のブロックと、
前記ブロック相互間にそれぞれ設けられ、前記プレキャストコンクリート板と一体をなすコンクリートからなる複数のリブとを含む、型枠コンクリート版。
【請求項２】
さらに、前記プレキャストコンクリート板に植え込まれ、前記リブを経て上方へ突出する複数の鉄筋を含む、請求項１に記載の型枠コンクリート板。
【発明の詳細な説明】
【技術分野】
【０００１】
本発明は、建物の床スラブを形成するために用いられるコンクリート版、より詳細には、集合住宅のいわゆるボイド床スラブを形成するために用いられ該床スラブの一部をなすコンクリート版に関する。
【背景技術】
【０００２】
従来、このようなコンクリート版として、プレキャストコンクリート板と、該プレキャストコンクリート板上に互いに間隔をおいて配置されかつこれに取り付けられた、凹凸状の頂面を有する複数のブロックであって前記床スラブ中にボイドを実質的に形成する複数のブロックとを含むものが提案されている（特許文献１参照）。
【０００３】
【特許文献１】特開２００３−３５９６号公報
【発明の開示】
【発明が解決しようとする課題】
【０００４】
床スラブは、先に構築された一対の梁に前記コンクリート板を掛け渡し、この上にコンクリートを打設することにより構築される。このとき、前記ブロックは打設コンクリート中に埋設され、該打設コンクリートとは異質の部分すなわち実質的なボイドをなす。頂面が凹凸状をなす前記ブロックは、頂面が平坦なブロックと比べて、前記床スラブ上で発生する音に対する遮断性すなわち遮音性に優れる。
【０００５】
前記コンクリート版は、該コンクリート版上へのコンクリートの打設及びその養生の間、そのたわみ及び変形を抑えるため、その下方に設置されるポストによる支えを受ける。
【０００６】
ところで、前記ポストの設置数は、該ポストの設置に要する労力、前記コンクリート版下の作業空間確保等のため、少ないことが望ましい。このためには前記プレキャストコンクリート板を厚さ寸法の大きいものとすることが考えられるが、そうすると、これが、所定の厚さ寸法を有する床スラブの構築上、例えば前記打設コンクリート中に埋設される鉄筋の被りを確保し難いなどの障害が生じる。
【０００７】
そこで、本発明は、前記プレキャストコンクリート板の厚さ寸法を増大することなしに高い曲げ強度が付与されたコンクリート版の提供を企図する。
【課題を解決するための手段】
【０００８】
本発明は、床スラブを形成するために用いられる型枠コンクリート版に係り、プレキャストコンクリート板と、該プレキャストコンクリート板上に互いに間隔をおいて配置された、凹凸状の頂面を有する複数のブロックであって、前記床スラブ中にボイドを実質的に形成するための複数のブロックと、前記ブロック相互間にそれぞれ設けられ、前記プレキャストコンクリート板と一体をなすコンクリート製の複数のリブとを含む。さらに、前記プレキャストコンクリート板に植え込まれ、前記リブを経て上方へ突出する複数の鉄筋を含むものとすることができる。
【発明の効果】
【０００９】
本発明によれば、プレキャストコンクリート板上にこれと一体のコンクリート製のリブを設けたことから、前記プレキャストコンクリート板の厚さを増大することなしに、より高い曲げ強度を有する床スラブ用コンクリート版を得ることができる。前記リブは、床スラブを構築するために前記床スラブ用コンクリート版が用いられるとき、この上に打設されるコンクリートの重量を支える機能を発揮するため、前記床スラブ用コンクリート版をその下方から支持するために配置されるポストの数量を低減することができ、これにより、前記ポストの設置に要する労力及び費用を低減し、また前記床スラブ用コンクリート版下により広い作業空間を確保することができる。
【００１０】
また、前記プレキャストコンクリート板に植え込まれた鉄筋について、その一部を前記リブ中に埋設することにより、前記リブの機械的強度をより高めることができる。
【発明を実施するための最良の形態】
【００１１】
図１を参照すると、本発明に係る床スラブ用の型枠コンクリート版（以下単に「コンクリート版」という。）が全体に符号１０で示されている。
【００１２】
図２及び図３に示すように、コンクリート版１０は、集合住宅のような建物の床スラブ１２を構築するために用いられ、床スラブ１２の一部をなす。
【００１３】
床スラブ１２の構築に際し、コンクリート版１０は、先に構築された一対の梁１４上に掛け渡され、この上にコンクリート１６が打設される。このとき、コンクリート版１０の下方にこれを支持するための１又は複数のポスト１８が設置される。図示の例では、複数のポスト１８が、両梁１４間を伸びるトラス２０を介して、コンクリート版１０を支持している。打設コンクリート１６は床面を規定する。
【００１４】
図１に示すように、コンクリート版１０は、プレキャストコンクリート板（以下単に「ＰＣ板」という。）２２と、該ＰＣ板上に互いに間隔をおいて配置された複数のブロック２４と、これらのブロック相互間にそれぞれ設けられＰＣ板２２と一体をなすコンクリート製の複数のリブ２６とを含む。好ましくは、さらに、ＰＣ板２２に植え込まれ、リブ２６を経て上方へ突出する複数の鉄筋２７を含む。
【００１５】
ＰＣ板２２は、図示の例では全体に矩形の平面形状を有する。ＰＣ板２２に植え込まれた鉄筋２７はトラス筋からなる。複数の鉄筋２７は互いに間隔をおいてかつ平行に配置され、前記矩形の相対する一対の２辺の一方から他方に向けて伸びている（図４参照）。鉄筋２７は、最終的に、床スラブ１２を構成するコンクリート１６中に埋設される。
【００１６】
ブロック２４は、コンクリート１６とは異質の材料、例えば発泡ウレタンのような発泡プラスチックからなり、コンクリート１６と比べて軽量である。このため、ブロック２４により、床スラブ１２中にボイドとほぼ等価の部分、すなわち実質的にボイドをなす部分を形成することができ、これにより床スラブ１２の重量を軽減することができる。
【００１７】
また、ブロック２４は、凹凸状の頂面２８を有する。凹凸状をなす頂面２８は、１の平坦面により規定された頂面と比べて、床スラブ１２上で発生する音の遮断性に優れる。
【００１８】
図示の例では、ブロック２４は全体に一方向へ細長く伸びる矩形の平面形状を有し、頂面２８に連なる２つの端面３０及び２つの側面３１と、頂面２８に相対する矩形状の底面３２とを有する（図５参照）。
【００１９】
ブロック２４は、その横断面（その端面３０と平行な断面）で見て、互いに連なる複数の曲線部分、すなわち山をなす２つの曲線部分とこれらの間の谷をなす１つの曲線部分とにより前記凹凸が規定されている。前記凹凸は、互いに連なりかつ折れ曲がる複数の直線部分により規定されているものであってもよい。また、図示の例では、前記凹凸は前記横断面に直交する縦断面で見て直線からなるが、これが互いに連なる複数の曲線部分又は直線部分からなるものであってもよい。
【００２０】
複数のリブ２６は、互いに平行に、また鉄筋２７と平行に伸びている。ＰＣ板２２と一体をなすリブ２６は、ＰＣ版２２の補強、特に曲げに対する補強をなす。これにより、コンクリート１６の打設に伴うコンクリート版１２又はＰＣ板２２のたわみを少なくすることができ、このため、コンクリート版１２を支持するために要するポスト１８の数量の低減と、これに伴うポスト１８の設置に要する労力やコストの低減、コンクリート版１２下の作業空間の拡大を図ることができる。
【００２１】
なお、図示の一方向へ伸びる複数のリブ２６の例に代えて、互いに格子状を呈するように伸びる複数のリブとすることができる。この場合には、各ブロック２４及び各鉄筋２７がそれぞれ２つに分割された大きさを有するものとされかつこれらが互いに間隔をおいて配置される。
【００２２】
図示のコンクリート版１２は、次のようにして製造することができる。
【００２３】
まず、図４に示すように、ＰＣ板２２を準備する。ＰＣ板２２は、鉄筋２７の有無を問わない。
【００２４】
次に、図５に示すように、ＰＣ板２２上に、互いに隣接する２つの鉄筋２７の間をこれらに沿って伸びる１つのブロック２４を配置する。
【００２５】
ブロック２４は鉄筋２７より短い長さ寸法を有し、このため、その両端面３０とＰＣ板２２の相対する両側縁との間においてＰＣ板２２が露出しており、また好ましくは、ブロック２４はその両側面３１においてそれぞれ両鉄筋２７に接する幅寸法を有する。
【００２６】
ブロック２４は、これを例えば釘でＰＣ板２２に打ち付けて該ＰＣ板の表面上に固定する。
【００２７】
その後、ＰＣ板２２上に複数のコンクリート堰止め板３４，３６を配置する。１の堰止め板３４は、並列配置の複数の鉄筋２７の内の最外方に位置する両鉄筋２７に適用され、他の堰止め板３６は最外方の両鉄筋２７間に位置する鉄筋２７に適用される。
【００２８】
両堰止め板１はそれぞれ鉄筋２７の高さ寸法より低い高さ寸法、より詳細にはブロックの各側面３１の高さ寸法に等しい高さ寸法を有する。
【００２９】
また、一の堰止め板３４は、全体にチャンネル形の平面形状を有し、鉄筋２７の両端部両側部の一方の全部及び他方の一部とを取り巻いている。これに対して他の堰止め板３６は、全体にコの字形の平面形状を有し、鉄筋２７の一端部と両側部の一方の一部及び他方の一部とを取り巻いている。
【００３０】
さらに、両堰止め板３４，３６は、それぞれ、その両先端においてブロック２４に接している。より詳細には、一方の堰止め板３４の両端は、ブロックの両端面３０と一方の側面３１との２つの境界にそれぞれ接し、また、他方の堰止め板３６の両端は、互いに隣接する両ブロック２４の前記境界に接している。
【００３１】
その結果、各堰止め板３４，３６と各ブロック２４との側面３１とにより、各鉄筋２７を取り巻く閉空間、すなわちコンクリート打設空間が形成される。
【００３２】
堰止め板３４，３６の設置に先立ち又はその後に、ブロック２４上に該ブロックの浮き上がりを防止するための複数の鉄筋３８を設置する。鉄筋３８は各鉄筋２７に取り付けられ鉄筋２７の上方を横断するように伸びている。鉄筋３８は、床スラブ１０の形成のためにコンクリート版１０上にコンクリート１６が打設されるとき、ブロック２４に働く浮力によるコンクリート１６中の上昇を制限し、コンクリート１６中に保持する作用をなす。なお、鉄筋３８を設置しなくても、ブロック２４はコンクリート版１０に固定されているため、コンクリート１６中を上昇することはないが、ブロック２４の保持をより確実にするために鉄筋３８を設置することが好ましい。
【００３３】
その後、前記閉空間（コンクリート打設空間）にコンクリートを打設する。その結果、ブロック２４の側面の高さ寸法に等しい高さ寸法を有するリブ２６が形成され、ＰＣ板２２と一体をなす。このとき、より高い高さ寸法を有する鉄筋２７は、その一部がリブ２６に埋設され、該リブの表面からその上方に突出した状態にある。したがって、鉄筋２７は、コンクリート版１０と床スラブのコンクリート１６との間の継手としての役割のほか、リブ２６を補強する役割をも担う。
【００３４】
コンクリート版１０は工場生産とすることができるため、寸法精度の高いものを得ることができる。また、ＰＣ板２２の厚さを増大する場合と比べて重量の増大が小さいことから、建築現場への搬入のための運搬も比較的容易に行うことができる。
【図面の簡単な説明】
【００３５】
【図１】本発明に係る型枠コンクリート板の斜視図である。
【図２】型枠コンクリート板を用いて形成される床スラブの部分横断面図である。
【図３】図２の横断面に直交する面で切断した、床スラブの部分縦断面図である。
【図４】プレキャストコンクリート板の斜視図である。
【図５】ブロックが配置されたプレキャストコンクリート板の斜視図である。
【図６】さらに、コンクリート堰止板及びブロック浮上がり防止鉄筋が配置されたプレキャストコンクリート板の斜視図である。
【符号の説明】
【００３６】
１０  型枠コンクリート版
１２  床スラブ
１８  ポスト
２２  プレキャストコンクリート板
２４，２８  ブロック及びその頂面
２６  リブ
２７  鉄筋
３４，３６  コンクリート堰止め板
３８  ブロック浮上がり防止鉄筋
【図１】
2006045871.tif 000003
【図２】
2006045871.tif 000004
【図３】
2006045871.tif 000005
【図４】
2006045871.tif 000006
【図５】
2006045871.tif 000007
【図６】
2006045871.tif 000008